(57)【特許請求の範囲】
【請求項１】
幅方向一端側が自動販売機本体の幅方向一端側にヒンジ機構を介して回動自在に軸支され前記自動販売機本体の前面開口部を開閉する内扉と、
前記内扉におけるヒンジと反対側の端部に設けられたロックレバーと、
前記自動販売機本体の前縁側部に設けられ前記ロックレバーが係止孔に係合することによって前記自動販売機本体の前面開口部を前記内扉によって閉塞した状態にロックするためのロック板とを備え、
前記ロックレバーは、
前記内扉の幅方向にスライド可能且つ前記内扉の幅方向を軸として回動可能に保持される軸部と、
前記軸部の一端側から前記軸部の中心軸に対して略垂直に延びるように設けられ前記ロックレバーを操作するための操作部と、
前記軸部の他端側から前記軸部の中心軸に対して略垂直に延びるように設けられ前記係止孔に係合可能な係合部とを有し、
前記係止孔の内周下縁側には、前記係止孔に係合した状態の前記係合部に当接して前記係合部を下支えするように起立した面を有する支持座が形成され、
前記係合部が前記軸部よりも上になる向きで前記係止孔に挿入された後に前記係合部が前記軸部よりも前方斜め下になる向きに回動されて前記内扉をロックするように構成され、
前記支持座における前記係合部を下支えする面は、
前記内扉をロックした状態の前記係合部と前記係合部の延びる方向の線で線接触できるように前記支持座の前端側が前記支持座の後端側よりも下に傾斜すると共に、前記係止孔の内周下縁から前記係合部の挿入方向に向かうにしたがって高くなるよう傾斜していることを特徴とする自動販売機。
【発明の詳細な説明】
【技術分野】
【０００１】
本発明は、内扉ロック装置を備えた自動販売機に関するものである。
【背景技術】
【０００２】
従来の自動販売機としては、商品収納ラックを搭載した自動販売機本体の前面に販売操作部、商品取出口を備えた外扉とは別に庫内前面を密閉状態に閉塞する断熱内扉を装備して断熱性を高め、かつこの内扉に手動で操作する扉ロックを備えたもの（例えば、特許文献１参照）がある。
【０００３】
以下、図面を参照しながら上記従来の自動販売機を説明する。図６は従来の扉開放状態の自動販売機を示す斜視図である。
【０００４】
図６に示すように、従来の自動販売機は、商品収納ラック１を搭載した自動販売機本体２の前面に販売操作部，商品取出口を備えた外扉３とは別に庫内前面を密閉状態に閉塞する断熱性の内扉４を装備して断熱性を高め、この内扉４に手動で操作するロック装置５を備えている。
【０００５】
図７は従来の自動販売機の内扉４のロック装置５の構成を示すもので、（ａ）は上面図、（ｂ）は側面図、（ｃ）は正面図である。なお、図７は内扉４を閉位置に鎖錠した状態を示している。
【０００６】
図７に示すように、従来の自動販売機の内扉４のロック装置５は、内扉４のヒンジと反対側の端部にボルト６で固定したレバー取付金具７と、金具７の形成した軸受け部７ａに左右へスライド可能に嵌挿支持した手動操作式のクランク形ロックレバー８の軸部先端に対向して自動販売機本体２の前縁側部に取付けた角穴９ａ付きのロック板９とからなる。
【０００７】
ロックレバー８には、先端がクランク状に屈曲した軸部８ａ、および軸部８ａの他端から略Ｌ字状に延長した把手部８ｂが形成されており、軸部８ａを取付金具７の軸受部７ａに嵌挿して回動、スライド可能に支持している。また、内扉４の内面側周縁にはガスケット１０を取付けている。
【０００８】
かかる構成により、図示の鎖錠状態ではロックレバー８の軸部先端がロック板９の角穴９ａに側方から入り込んで角穴９ａの前縁に当接し、この位置でガスケット１０を自動販売機本体２の内箱前縁に押しつけて庫内を密閉している。
【０００９】
また、取付金具７の左端部に起立形成したストッパー７ｂがロックレバー８を鎖錠位置に拘束している。
【００１０】
一方、この鎖錠状態からロック装置５を釈放して内扉４を開放するには、まず、ロックレバー８の把手部８ｂに手を掛けて矢印（１）のように上方に回動操作した後に、矢印（２）方向へスライド操作して軸部先端をロック板９から引き抜く。
【００１１】
そして、把手部８ｂを手前に引くと内扉４が開く。また、内扉４を閉じた後に、ロックレバー８を右側にスライド操作してその軸部先端をロック板９の角穴９ａに差し込み、次いで把手部８ｂを下方に引き降ろすように回動操作して図示状態に鎖錠する。
【先行技術文献】
【特許文献】
【００１２】
【特許文献１】特開平１０−７９０８０号公報
【発明の概要】
【発明が解決しようとする課題】
【００１３】
一般に、自動販売機の内扉４はかなりの重量物であり、この内扉４を片開き式に自動販売機本体２へヒンジ結合した組立状態でヒンジ金具にガタ付きがあると、内扉４が自重で多少傾き、特に間口の広い内扉４ではヒンジ側と反対のロック装置５の取付端が下方に下がるようになる。
【００１４】
また、図７に示した鎖錠位置で内扉４の自重Ｗが加わると、ロックレバー８はロック板９との当接点を支点として反時計方向に回動し、このためにロック装置５の鎖錠が弛むおそれがある。
【００１５】
しかも、図７に示した従来の内扉４のロック装置５では、上記のようにヒンジ側のガタ付きに起因する内扉４の傾きを規制する機能はなく、このために内扉４の周縁に取付けたガスケット１０が自動販売機本体２に正しく密着しないで庫内の気密性に悪影響を及ぼすという欠点があった。
【００１６】
本発明は、上記従来の課題を解決するものであり、ロック状態の内扉と自動販売機本体との間の気密性を向上させた自動販売機を提供することを目的とする。
【課題を解決するための手段】
【００１７】
本発明を適用する自動販売機は、幅方向一端側が自動販売機本体の幅方向一端側にヒンジ機構を介して回動自在に軸支され前記自動販売機本体の前面開口部を開閉する内扉と、前記内扉におけるヒンジと反対側の端部に設けられたロックレバーと、前記自動販売機本体の前縁側部に設けられ前記ロックレバーが係止孔に係合することによって前記自動販売機本体の前面開口部を前記内扉によって閉塞した状態にロックするためのロック板とを備え、前記ロックレバーは、前記内扉の幅方向にスライド可能且つ前記内扉の幅方向を軸として回動可能に保持される軸部と、前記軸部の一端側から前記軸部の中心軸に対して略垂直に延びるように設けられ前記ロックレバーを操作するための操作部と、前記軸部の他端側から前記軸部の中心軸に対して略垂直に延びるように設けられ前記係止孔に係合可能な係合部とを有している。
【００１８】
そして、上記目的を達成するために、本発明で用いる前記ロック板の前記係止孔の内周下縁側には、前記係止孔に係合した状態の前記係合部に当接して前記係合部を下支えするように起立した面を有する支持座が形成され、前記係合部が前記軸部よりも上になる向きで前記係止孔に挿入された後に前記係合部が前記軸部よりも前方斜め下になる向きに回動されて前記内扉をロックするように構成され、前記支持座における前記係合部を下支えする面は、前記内扉をロックした状態の前記係合部と前記係合部の延びる方向の線で線接触できるように前記支持座の前端側が前記支持座の後端側よりも下に傾斜すると共に、前記係止孔の内周下縁から前記係合部の挿入方向に向かうにしたがって高くなるよう傾斜しているのである。
【００１９】
これにより、内扉を閉じた上でロック装置のロックレバーを鎖錠位置に移動操作すると、ロックレバーの軸部先端がロック板に設けた支持座の上面に当接して下支えされる。また内扉をロックした状態は支持座の前端側が支持座の後端側よりも下に傾斜しているため内扉が傾いていても、ロック時に自動で内扉を正規密閉確保位置に規制され保持される。
【００２０】
したがって、ヒンジのガタ付き、内扉の自重に起因する内扉の傾き、および内扉の傾き
によりロックレバーが回動して鎖錠位置から外れるのを防止して、内扉と自動販売機本体との間の気密性を安定よく保つことができる。
【発明の効果】
【００２１】
本発明の自動販売機は、内扉の自重により傾いた状態をロック装置のロックレバーとロック板によって、内扉を閉止する際に自動的に正規密閉確保位置に規制され保持されるので、内扉と自動販売機本体との間の気密性を安定よく保つことができる。またメンテナンス時に内扉を閉止する作業性においても、内扉を正規密閉確保位置に持ち上げることなく閉止できるため、取扱い性がよくなる。
【図面の簡単な説明】
【００２２】
【図１】本発明の実施の形態１の自動販売機における閉塞した内扉をロックする前の状態を示す要部斜視図
【図２】本発明の実施の形態１の自動販売機における閉塞した内扉をロックした状態を示す要部斜視図
【図３】本発明の実施の形態１の自動販売機に用いたロック板を示す斜視図
【図４】本発明の実施の形態１の自動販売機に用いたロック板を示す平面図
【図５】図４のＡ−Ａ線断面図
【図６】従来の扉開放状態の自動販売機を示す斜視図
【図７】（ａ）従来の自動販売機における内扉を閉位置に鎖錠した状態を示す要部上面図（ｂ）従来の自動販売機における内扉を閉位置に鎖錠した状態を示す要部側面図（ｃ）従来の自動販売機における内扉を閉位置に鎖錠した状態を示す要部正面図
【発明を実施するための形態】
【００２３】
第１の発明は、幅方向一端側が自動販売機本体の幅方向一端側にヒンジ機構を介して回動自在に軸支され前記自動販売機本体の前面開口部を開閉する内扉と、前記内扉におけるヒンジと反対側の端部に設けられたロックレバーと、前記自動販売機本体の前縁側部に設けられ前記ロックレバーが係止孔に係合することによって前記自動販売機本体の前面開口部を前記内扉によって閉塞した状態にロックするためのロック板とを備え、前記ロックレバーは、前記内扉の幅方向にスライド可能且つ前記内扉の幅方向を軸として回動可能に保持される軸部と、前記軸部の一端側から前記軸部の中心軸に対して略垂直に延びるように設けられ前記ロックレバーを操作するための操作部と、前記軸部の他端側から前記軸部の中心軸に対して略垂直に延びるように設けられ前記係止孔に係合可能な係合部とを有し、前記係止孔の内周下縁側には、前記係止孔に係合した状態の前記係合部に当接して前記係合部を下支えするように起立した面を有する支持座が形成され、前記係合部が前記軸部よりも上になる向きで前記係止孔に挿入された後に前記係合部が前記軸部よりも前方斜め下になる向きに回動されて前記内扉をロックするように構成され、前記支持座における前記係合部を下支えする面は、前記内扉をロックした状態の前記係合部と前記係合部の延びる方向の線で線接触できるように前記支持座の前端側が前記支持座の後端側よりも下に傾斜すると共に、前記係止孔の内周下縁から前記係合部の挿入方向に向かうにしたがって高くなるよう傾斜していることを特徴とする自動販売機である。
【００２４】
上記構成において、係止孔の内周下縁から係合部の挿入方向に向かうにしたがって高くなるよう傾斜していることによって、ロックレバーを内扉の幅方向にスライドし係止孔に挿入する時に係止孔の内周下縁の支持座にスムーズに乗り上げることができる。
【００２５】
このとき、係止孔の内周下縁の高さ位置は自重によって内扉が傾斜したときのロックレバーの位置と同高さとしており、ロックレバーをスライドしたときに係止孔の内周下縁に衝突することなく、係止孔に挿入され内周下縁の支持座に乗り上げることができる。
【００２６】
また、支持座の前端側が支持座の後端側よりも下に傾斜しているので、ロックレバーを内扉の幅方向を軸として回動することによって、ロックレバーが支持座上を伝い支持座の後端側まで持ち上げることができる。
【００２７】
これにより、内扉自身も傾斜した状態から傾斜していない状態となり、内扉の正規密閉確保位置で閉止されることになり、庫内外の密閉に対して確実にシールすることが可能となる。
【００２８】
以下、本発明の自動販売機の実施の形態について、図面を参照しながら説明する。なお、この実施の形態によって、本発明が限定されるものではない。
【００２９】
（実施の形態１）
図１は本発明の実施の形態１の自動販売機における閉塞した内扉をロックする前の状態を示す要部斜視図である。図２は同実施の形態の自動販売機における閉塞した内扉をロックした状態を示す要部斜視図である。
【００３０】
また、図３は同実施の形態の自動販売機に用いたロック板を示す斜視図である。図４は同ロック板を示す平面図である。図５は図４のＡ−Ａ線断面図である。
【００３１】
図１から図５に示すように、本実施の形態の自動販売機に用いるロックレバー１０２は、内扉１０１の幅方向にスライド可能かつ内扉１０１の幅方向を軸として回動可能に保持することができる軸部１０４と、軸部１０４の一端側から軸部１０４の中心軸に対して略垂直に延びるように設けられロックレバー１０２を操作するための操作部１０６を有している。
【００３２】
本実施の形態の自動販売機に用いるロック板１０５は、軸部１０４の他端側から軸部１０４の中心軸に対して略垂直に延びるように設けられ係止孔１０３に係合可能な係合部１０８と、係合部１０８を下方方向から下支えする支持座１０７を有している。
【００３３】
この支持座１０７は、切り起こして成形され、係合部１０８が軸部１０４よりも上になる向きで係止孔１０３に挿入された後に係合部１０８が軸部１０４よりも前方斜め下になる向きに回動されて内扉１０１をロックするように構成されている。
【００３４】
支持座１０７における係合部１０８を下支えする面は、内扉１０１をロックした状態の係合部１０８の延びる方向の線で線接触できるように支持座１０７の前端側が支持座１０７の後端側よりも下に傾斜すると共に、係止孔１０３の内周下縁からの係合部１０８の挿入方向に向かうにしたがって高くなるように傾斜している。
【００３５】
これにより、内扉１０１を閉じた上でロック装置のロックレバー１０２を鎖錠位置に移動操作すると、ロックレバー１０２の軸部先端がロック板１０５に設けた支持座１０７の上面に当接して下支えされる。
【００３６】
また、内扉１０１をロックした状態は、支持座１０７の前端側が支持座１０７の後端側よりも下に傾斜しているため、内扉１０１が傾いていても、ロック時に自動で内扉１０１を正規密閉確保位置に規制され保持される。
【００３７】
したがって、ヒンジのガタ付き、内扉１０１の自重に起因する内扉１０１の傾き、および内扉１０１の傾きによりロックレバーが回動して鎖錠位置から外れるのを防止して、内扉１０１と自動販売機本体との間の気密性を安定よく保つことができる。
【００３８】
以上のように構成された本実施の形態の自動販売機について、以下、その動作を説明する。
【００３９】
図１に示す内扉１０１のロック前の状態から図２に示すロック状態にするためには、まず、ロックレバー１０２の操作部１０６に手を掛けて矢印ａの方向（右に）にスライド操作して、その軸部１０４の係合部１０８をロック板１０５の係止孔１０３に差し込み、次いで操作部１０６を矢印ｂのように下方に引き降ろすように回動操作する。
【００４０】
また、図２に示すロック状態から内扉１０１を開放するには、ロックレバー１０２の操作部１０６を手前上方に回動操作し、左側にスライド操作して軸部１０４の係合部１０８をロック板１０５の係止孔１０３から引き抜く。そして、操作部１０６を手前に引くと内扉１０１が開く。
【００４１】
図４はロック板１０５を、内扉１０１を閉止するときにロックレバー１０２をスライド挿入する方向から見た図となる。
【００４２】
ロックレバー１０２の係合部１０８を係止孔１０３にスライド挿入した直後は、支持座１０７の傾斜下側に挿入されることになり、係合部１０８は支持座１０７の傾斜下側部分に支持される。
【００４３】
その後、図１の矢印ｂのように回動操作することによって、係合部１０８は図４の矢印ｃの方向に移動し、支持座１０７の傾斜上側部分で支持されることになる。これにより、内扉１０１も自重によって傾いていた状態から、傾かない状態に保持されることになる。
【００４４】
図５に示すように、支持座１０７はロックレバー１０２の挿入側が傾斜下側となる。ロックレバー１０２の係合部１０８を係止孔１０３にスライド挿入した直後は支持座１０７の傾斜下側に挿入されることになり、その後、ロックレバー１０２を右側にスライド操作することによって、係合部１０８は図５の矢印ｄの方向に移動し、支持座１０７の傾斜上側部分で支持されることになる。
【００４５】
これにより、内扉１０１が自重によって傾いた状態のとき、ロックレバー１０２をロック板１０５の係止孔１０３に挿入するためには、内扉１０１を持ち上げて係止孔１０３に挿入し支持座１０７に支持させる必要があるが、支持座１０７のロックレバー１０２挿入側に傾斜を設けることにより低い位置となっているので、内扉１０１を持ち上げる必要なく挿入可能となり、内扉１０１の閉止およびロック作業が容易となる。
【００４６】
以上のように本実施の形態の自動販売機は、幅方向一端側（左端）が自動販売機本体の幅方向一端側（左端）にヒンジ機構を介して回動自在に軸支され自動販売機本体の前面開口部を開閉する内扉１０１と、内扉１０１におけるヒンジと反対側の端部（右端）に設けられたロックレバー１０２と、自動販売機本体の右側の前縁側部に設けられロックレバー１０２が係止孔１０３に係合することによって自動販売機本体の前面開口部を内扉１０１によって閉塞した状態にロックするためのロック板１０５とを備える。
【００４７】
そして、本実施の形態で用いるロックレバー１０２は、内扉１０１の幅方向（左右方向）にスライド可能且つ内扉１０１の幅方向（左右方向）を軸として回動可能に保持される軸部１０４と、軸部１０４の一端側（左側）から軸部１０４の中心軸に対して略垂直に延びるように設けられ（さらに先端部が軸部１０４と略平行になるように曲げられた）ロックレバー１０２を操作するための操作部１０６と、軸部１０４の他端側（右側）から軸部の中心軸に対して略垂直に延びるように設けられ係止孔１０３に係合可能な係合部１０８とを有する。
【００４８】
そして、本実施の形態で用いるロック板１０５の係止孔１０３の内周下縁側には、係止孔１０３に係合した状態の係合部１０８に当接して係合部１０８を下支えする支持座１０７が切り起こして形成される。
【００４９】
そして、係合部１０８が軸部１０４よりも上になる向きで係止孔１０３に挿入された後に係合部１０８が軸部１０４よりも前方斜め下になる向きに回動されて内扉１０１をロックするように構成される。
【００５０】
また、支持座１０７における係合部１０８を下支えする面は、内扉１０１をロックした状態の係合部１０８と係合部１０８の延びる方向の線で線接触できるように支持座１０７の前端側が支持座１０７の後端側よりも下に傾斜し、係止孔１０３の内周下縁から係合部１０８の挿入方向に向かうにしたがって高くなるよう傾斜している。
【００５１】
上記構成において、係止孔１０３の内周下縁から係合部１０８の挿入方向（図１の矢印ａ方向）に向かうにしたがって高くなるよう傾斜していることによって、ロックレバー１０２を内扉１０１の幅方向（図１の矢印ａ方向）にスライドさせて係止孔１０３に挿入する時に係止孔１０３の内周下縁の支持座１０７にスムーズに乗り上げることができる。
【００５２】
このとき、係止孔１０３の内周下縁の高さ位置は自重によって内扉１０１が傾斜したときのロックレバー１０２の位置と同高さとしており、ロックレバー１０２を図１の矢印ａ方向にスライドしたときに係止孔１０３の内周下縁に衝突することなく、係止孔１０３に挿入され内周下縁の支持座１０７に乗り上げることができる。
【００５３】
また、支持座１０７の前端側が支持座１０７の後端側よりも下に傾斜しているので、ロックレバー１０２を内扉１０１の幅方向（左右方向）を軸として下方に回動することによって、ロックレバー１０２が支持座１０７上を伝い支持座１０７の後端側まで持ち上げることができる。
【００５４】
これにより、内扉１０１自身も傾斜した状態から傾斜していない状態となり、内扉１０１の正規密閉確保位置で閉止されることになり、庫内外の密閉に対して確実にシールすることが可能となる。
【００５５】
本実施の形態によれば、内扉１０１を閉じた上でロック装置のロックレバー１０２を鎖錠位置に移動操作すると、ロックレバー１０２の軸部先端がロック板１０５に設けた支持座１０７の上面に当接して下支えされる。また内扉１０１をロックした状態は支持座１０７の前端側が支持座１０７の後端側よりも下に傾斜しているため内扉１０１が傾いていても、ロック時に自動で内扉１０１を正規密閉確保位置に規制され保持される。
【００５６】
したがって、ヒンジのガタ付き、内扉１０１の自重に起因する内扉１０１の傾き、および内扉１０１の傾きによりロックレバー１０２が回動して鎖錠位置から外れるのを防止して、内扉１０１と自動販売機本体との間の気密性を安定よく保つことができる。
【産業上の利用可能性】
【００５７】
以上のように、本発明にかかる自動販売機は、内扉の自重により傾いた状態をロック装置のロックレバーとロック板によって、内扉を閉止する際に自動的に正規密閉確保位置に規制、保持され、内扉と自動販売機本体との間の気密性を安定よく保つことが可能で、庫内の気密性、密閉性、固定およびカバーしているところは、このロック装置を利用することができるので、自動販売機に限らず、業務用冷蔵庫、保温庫、物流用保冷庫、物流用冷蔵庫等で使用される扉のロック装置に適用できる。
【符号の説明】
【００５８】
１０１  内扉
１０２  ロックレバー
１０３  係止孔
１０４  軸部
１０５  ロック板
１０６  操作部
１０７  支持座
１０８  係合部
【図１】
0005927423.tif 000002
【図２】
0005927423.tif 000003
【図３】
0005927423.tif 000004
【図４】
0005927423.tif 000005
【図５】
0005927423.tif 000006
【図６】
0005927423.tif 000007
【図７】
0005927423.tif 000008